(57)【要約】      （修正有）【課題】情報記録媒体の取り出しの処理時間を短縮すると共に、再生専用情報記録媒体と論理的な互換性を保つことを可能とした情報記録装置を提供する。【解決手段】光ディスク１を回転駆動するためのスピンドルモータ２と、記録面からの反射光を受光するための光ピックアップ装置３と、レーザ光の出力を制御するレーザコントロール回路４と、レーザコントロール回路４に出力するエンコーダ５と、光ピックアップ装置３のトラッキングアクチュエータ及びフォーカシングアクチュエータを駆動するモータドライバ８と、ウォブル信号、ＲＦ信号及びサーボ信号などを検出する再生信号処理回路７と、サーボコントローラ９と、メモリとしてのバッファＲＡＭ１０と、バッファＲＡＭ１０へ蓄積されたデータ量が所定の値になるとＣＰＵ１４に通知するバッファマネージャ１１と、ホスト１５との双方向の通信インターフェースであるインターフェース６とを備えて構成される。【選択図】図１
2007128578.tif 000002
【特許請求の範囲】
【請求項１】
ユーザデータを記録するデータ領域を各々有する複数の記録層を備えた情報記録媒体に対する前記ユーザデータの記録動作を制御する制御手段を備えた情報記録装置において、
前記制御手段は、再生専用情報記録媒体と論理的な互換性を保つために、前記ユーザデータの記録要求に伴うデータ記録完了後、前記情報記録媒体の２層目以降の記録層が未記録の場合、前記ユーザデータに続けてテンポラリーリードアウト情報を記録することを特徴とする情報記録装置。
【請求項２】
前記制御手段は、前記再生専用情報記録媒体と論理的な互換性を保つために、少なくともイニシャル処理にて記録したリードイン領域の直上に位置する２層目以降の記録層にリードアウト情報を記録することを特徴とする請求項１に記載の情報記録装置。
【請求項３】
前記制御手段は、前記再生専用情報記録媒体と論理的な互換性を保つために、前記情報記録媒体が１層媒体であることを示す情報を前記リードイン領域に記録することを特徴とする請求項１に記載の情報記録装置。
【請求項４】
前記制御手段は、前記再生専用情報記録媒体と論理的な互換性を保つために、少なくともイニシャル処理にて記録したリードイン領域の直上に位置する２層目以降の記録層に前記リードアウト情報を記録すると共に、前記情報記録媒体が１層媒体であることを示す情報を前記リードイン領域に記録することを特徴とする請求項２又は３に記載の情報記録装置。
【請求項５】
前記制御手段は、前記ユーザデータの記録要求に伴うデータ記録が完了した際、前記情報記録媒体の１層目に未記録領域が存在し、且つ前記情報記録媒体の２層目以降が未記録の状態で該２層目への前記ユーザデータの記録要求が発生した場合は、エラーとして処理することを特徴とする請求項１乃至４の何れか一項に記載の情報記録装置。
【請求項６】
前記制御手段は、前記情報記録媒体の１層目記録が終了し、次に前記情報記録媒体の２層目記録が初めて開始された場合に、該情報記録媒体が２層媒体であることを示す情報を前記リードイン領域に記録することを特徴とする請求項３又は４に記載の情報記録装置。
【請求項７】
前記制御手段は、前記情報記録媒体の２層目のバックグラウンドフォーマットが完了した場合に、前記情報記録媒体が２層媒体であることを示す情報を前記リードイン領域に記録することを特徴とする請求項３又は４に記載の情報記録装置。
【請求項８】
前記制御手段は、前記情報記録媒体の２層目記録処理を実行した際に該記録処理が不可能な場合、前記リードイン領域に該情報記録媒体が１層媒体であることを記録することを特徴とする請求項６又は７に記載の情報記録装置。
【請求項９】
前記制御手段は、前記情報記録媒体の制御状態を含む管理情報を前記リードイン領域の所定の領域に記録することを特徴とする請求項１乃至８の何れか一項に記載の情報記録装置。
【請求項１０】
前記制御手段は、前記バックグラウンドフォーマット処理を前記情報記録媒体の２層以降も継続して行うことを特徴とする請求項１乃至９の何れか一項に記載の情報記録装置。
【発明の詳細な説明】
【技術分野】
【０００１】
本発明は、情報記録装置に関し、さらに詳しくは、複数の記録層を有する書き換え可能な情報記録媒体に記録を行う情報記録装置に関するものである。
【背景技術】
【０００２】
記録型ＤＶＤディスクとして書換え型ＤＶＤディスクであるＤＶＤ＋ＲＷなどがあり、片面１層の再生専用ＤＶＤとの間で高い再生互換性を有している。ＤＶＤ＋ＲＷでは、ユーザからのフォーマット要求に対して、リードイン領域の一部を記録（イニシャル処理）しただけでユーザに対してフォーマット完了を通知し、ユーザからのアクセス要求によるアクセスが無い時間に残りの領域をダミーデータで記録する、いわゆるバックグラウンドフォーマットを行う。このバックグラウンドフォーマットにより、従来は長時間を要していたフォーマッ処理時間が大幅に低減されるようになった。このバックグラウンドフォーマットでは、データ領域の内周から連続的にダミーデータで記録を行う。その時バックグラウンドフォーマット中にユーザからのデータ記録要求があった場合は、バックグラウンドフォーマットを中断し、データ領域の先頭アドレスから連続的に記録されている領域の最終アドレス（Last Written Address、以下、ＬＷＡとする）を更新した後、要求されたデータ記録を行う。このとき、データ領域内に間欠的に存在するデータ既記録領域と未記録領域とを識別するためのビットマップ情報も更新される。そして、ユーザデータ記録が完了した後は、前記ＬＷＡが示す記録領域と未記録領域の境界アドレスから再度フォーマット処理を再開する。
【０００３】
このような記録型ディスクが普及するためには、従来の再生専用ドライブでの再生を可能とすることが課題となっており、記録されたディスクは再生専用ディスク（例えばＤＶＤ＋ＲＷの場合はＤＶＤ−ＲＯＭ）との論理的な互換性を保つ必要があることが求められている。また再生専用ディスクの特徴として、リードイン領域、データ領域、リードアウト領域から形成されるインフォメーション領域内に未記録領域が存在しないことが挙げられるが、この点に関して、例えばＤＶＤ＋ＲＷの場合では前述したバックグラウンドフォーマットにおいて、フォーマット途中の状態においてもディスク取り出しの際にＤＶＤ−ＲＯＭとの論理的な互換を保つような工夫がなされている。この場合、ＤＶＤ＋ＲＷはデータ領域内に間欠的に存在する未記録領域をダミーデータで記録後、ＬＷＡに続いて一時的なリードアウト（Temporary Lead-out）を記録することで、インフォメーション領域が形成され、ＤＶＤ−ＲＯＭとの論理的な互換を保ち、ＤＶＤ−ＲＯＭドライブでの再生が可能となる。
また、このような記録型ディスクについては大容量化のための研究開発が盛んに行われており、その手段の一つに記録層の多層化がある。多層ディスクでは１層ディスクに対して記録領域が物理的に整数倍になることから、ディスクの大容量化としては有効な方法である。このような多層ディスク、特に片面２層のＤＶＤに代表される２層ディスクを大別すると、トラックパス（再生経路）が内周から外周に向かう記録層のみが存在するパラレルトラックパス（Parallel Track Path、以下、ＰＴＰとする）と、内周から外周に向かうトラックパスと外周から内周に向かうトラックパスが混在するオポジットトラックパス（Opposite Track Path、以下、ＯＴＰとする）の２種類が存在する。ＰＴＰの場合は各記録層にインフォメーション領域をそれぞれ有し、これらの記録層は独立した記録層と捉えることが可能である。一方、ＯＴＰの場合は、２つの記録層内に１つのインフォメーション領域が形成され、これらの記録層は連続した１つの記録層と捉えることができる。このような多層構造の記録型ディスクにおいても、従来の再生専用のドライブでの再生互換は課題であり、このため、再生専用多層ディスクとの論理的な互換性を保つ努力がなされている。
【０００４】
ここで、記録ディスクが多層構造であった場合、データ記録が行われていない記録層に対して、未記録のまま残しておいては再生専用ディスクとの論理的な互換性が保証されない。そこで、データ記録が行われていない記録層の領域に対して所定のタイミングでダミーデータを記録して、再生専用ディスクとの論理的な互換性を保つ情報記録装置が提案されている。
例えば特許文献１には、レイヤー０の途中でデータ記録が完了した場合には、当該情報記録媒体の物理的構造が多層であっても、レイヤー０の記録層の記録しか行っていないことから１層媒体と見做す情報をレイヤー０のリードイン領域中に記録することにより、レイヤー１に対してダミーデータ等の記録を行う必要がなく、よって、そのための処理時間を要することなく、当該１層媒体と見做す情報を読取らせるだけで再生専用ドライブにより読出し可能となり、互換性を維持する技術が開示されている。
【特許文献１】特開２００４−３４２１８１公報
【発明の開示】
【発明が解決しようとする課題】
【０００５】
ＤＶＤ＋ＲＷの場合はバックグラウンドフォーマットにおいてデータが記録されている領域と記録が行われていない領域を管理するための情報として、データ領域の先頭から連続的にデータが記録されている領域の最終アドレスを示すＬＷＡが存在する。従って、複数の記録層を有し、バックグラウンドフォーマットを行う情報記録媒体についても、このＬＷＡに基づいてフォーマット処理によりダミーデータが記録された領域とフォーマット前の領域とを識別することが可能である。しかしながら、再生専用ディスクとの互換を取るためにレイヤー１のデータ領域をダミーデータで記録した情報記録媒体に対して、データ領域の終了アドレスを基準として当該終了アドレスから連続的（降順）にデータが記録されている領域の先頭アドレスを示す情報は存在しない。従って、このような情報記録媒体に対して再生専用ディスクとの論理的な互換を取るためには、常に、レイヤー０のデータ記録領域の終了アドレス（例えばＬＷＡ）の直上に相当するレイヤー１内のアドレスからレイヤー１のデータ領域の終了アドレスまでをダミーデータで記録しなければならない。すなわち、仮にレイヤー１のデータ領域内にすでにダミーデータが記録されている領域があったとしても、この記録領域を特定するための情報が存在しないため、再度ダミーデータで上書きが行われ、ディスクの取り出しに際して不要な処理時間が発生してしまうといった問題がある。
また特許文献１に開示されている従来技術は、レイアー０の記録しか行っていない場合、リードアウト領域を記録することによりダミーデータの記録を行なわなくともよいが、再開した場合、レイアー０の未記録部分が無駄になるといった問題がある。
本発明は、かかる課題に鑑み、情報記録媒体の取り出しの処理時間を短縮すると共に、再生専用情報記録媒体と論理的な互換性を保つことを可能とした情報記録装置を提供することにある。
【課題を解決するための手段】
【０００６】
本発明はかかる課題を解決するために、請求項１は、ユーザデータを記録するデータ領域を各々有する複数の記録層を備えた情報記録媒体に対する前記ユーザデータの記録動作を制御する制御手段を備えた情報記録装置において、前記制御手段は、再生専用情報記録媒体と論理的な互換性を保つために、前記ユーザデータの記録要求に伴うデータ記録完了後、前記情報記録媒体の２層目以降の記録層が未記録の場合、前記ユーザデータに続けてテンポラリーリードアウト情報を記録することを特徴とする。
本発明の情報記録媒体が再生専用情報記録媒体と論理的な互換性を保つためには、リードイン領域、１層目のデータ領域、中間領域、２層目のデータ領域、リードアウト領域からなるインフォメーション領域がデータ記録された状態にすることである。そこで本発明では、リードイン領域と１層目のデータ領域、テンポラリーリードアウト領域のみ記録することにより、２層目のデータ領域内の未記録領域をダミーデータで記録することを省略して取り出しの高速化を行っている。
請求項２は、前記制御手段は、前記再生専用情報記録媒体と論理的な互換性を保つために、少なくともイニシャル処理にて記録したリードイン領域の直上に位置する２層目以降の記録層にリードアウト情報を記録することを特徴とする。
本発明では再生専用情報記録媒体との互換性向上のために、少なくともイニシャル処理にて記録したリードイン領域の直上に位置する領域にリードアウトを記録する。
請求項３は、前記制御手段は、前記再生専用情報記録媒体と論理的な互換性を保つために、前記情報記録媒体が１層媒体であることを示す情報を前記リードイン領域に記録することを特徴とする。
本発明では再生専用情報記録媒体との互換性向上のために、リードイン領域内のコントロールデータにおける物理フォーマット情報のDisc structure情報を２層ではなく１層と書き込む。
【０００７】
請求項４は、前記制御手段は、前記再生専用情報記録媒体と論理的な互換性を保つために、少なくともイニシャル処理にて記録したリードイン領域の直上に位置する２層目以降の記録層に前記リードアウト情報を記録すると共に、前記情報記録媒体が１層媒体であることを示す情報を前記リードイン領域に記録することを特徴とする。
本発明は請求項２、３の組み合わせにより再生専用ディスクとの互換性向上を行っている。
請求項５は、前記制御手段は、前記ユーザデータの記録要求に伴うデータ記録が完了した際、前記情報記録媒体の１層目に未記録領域が存在し、且つ前記情報記録媒体の２層目以降が未記録の状態で該２層目への前記ユーザデータの記録要求が発生した場合は、エラーとして処理することを特徴とする。
１層目の全域が記録終了した状態においてディスクを取り出す場合、ＬＷＡが１層目の終了アドレスまで到達したところで記録が終了した場合、中間領域部分にテンポラリーリードアウトが記録される。そして１層目に未記録領域が残っている場合に、２層目への記録要求がきた場合はエラーを返す。
請求項６は、前記制御手段は、前記情報記録媒体の１層目記録が終了し、次に前記情報記録媒体の２層目記録が初めて開始された場合に、該情報記録媒体が２層媒体であることを示す情報を前記リードイン領域に記録することを特徴とする。
本発明は、１層目に未記録領域が残っていない場合に、２層目への記録要求がきた場合に初めてリードイン領域内のコントロールデータ情報に２層媒体である情報を書き込むことになる。
【０００８】
請求項７は、前記制御手段は、前記情報記録媒体の２層目のバックグラウンドフォーマットが完了した場合に、前記情報記録媒体が２層媒体であることを示す情報を前記リードイン領域に記録することを特徴とする。
２層目からバックグラウンドフォーマットを行うシステムの場合などで、２層目のバックグラウンドローマットが終了した状態においてディスクを取り出す場合、１層目に未記録が残っている場合にも２層目のバックグラウンドフォーマットが終了した場合にはリードイン領域内のコントロールデータ情報に２層媒体情報を書き込み、中間領域、テンポラリーリードアウト領域を書き込む。
請求項８は、前記制御手段は、前記情報記録媒体の２層目記録処理を実行した際に該記録処理が不可能な場合、前記リードイン領域に該情報記録媒体が１層媒体であることを記録することを特徴とする。
２層が記録できない状況の場合は、１層記録媒体とすることにより、１層に記録された内容を無駄にすることを防止できる。
請求項９は、前記制御手段は、前記情報記録媒体の制御状態を含む管理情報を前記リードイン領域の所定の領域に記録することを特徴とする。
制御状態を管理情報領域に記録することにより、２層媒体をどのように制御しているかを知ることができるので、記録媒体を出し入れしても、本発明の制御を行うことができる。
請求項１０は、前記制御手段は、前記バックグラウンドフォーマット処理は前記情報記録媒体の２層以降も継続して行うことを特徴とする。
２層目のバックグラウンドフォーマットは継続して行うことにより、１層としての動作から２層媒体としての動作への切替えがスムーズに行うことができる。
【発明の効果】
【０００９】
本発明によれば、制御手段は、再生専用情報記録媒体と論理的な互換性を保つために、ユーザデータの記録要求に伴うデータ記録完了後、情報記録媒体の２層目以降の記録層が未記録の場合、ユーザデータに続けてテンポラリーリードアウトを記録するので、記録媒体の取り出し時間を短縮することができる。
【発明を実施するための最良の形態】
【００１０】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
図１は本発明の情報記録装置の構成例を示すブロック図である。この情報記録装置１００は、情報記録媒体としての光ディスク１を回転駆動するためのスピンドルモータ２と、光ディスク１のスパイラル状又は同心円状のトラック（記録領域）が形成された記録面にレーザ光を照射するとともに、記録面からの反射光を受光するための光ピックアップ装置３と、エンコーダ５からの書き込み信号及びＣＰＵ１４の指示に基づいて、光ピックアップ装置３から出射されるレーザ光の出力を制御するレーザコントロール回路４と、ＣＰＵ１４の指示に基づいて、バッファＲＡＭ１０に蓄積されているデータをバッファマネージャ１１を介して取り出し、データ変調及びエラー訂正コードの付加などを行い、光ディスク１への書き込み信号を生成するとともに、再生信号処理回路７からの同期信号に同期してレーザコントロール回路４に出力するエンコーダ５と、サーボコントローラ９からの各制御信号に応じて光ピックアップ装置３のトラッキングアクチュエータ及びフォーカシングアクチュエータを駆動するモータドライバ８と、上記受光器の出力信号に基づいてウォブル信号、ＲＦ信号及びサーボ信号（フォーカスエラー信号、トラックエラー信号）などを検出する再生信号処理回路７と、再生信号処理回路７からのフォーカスエラー信号に基づいてフォーカスずれを補正するための制御信号を生成し、トラックエラー信号に基づいてトラックずれを補正するための制御信号を生成するサーボコントローラ９と、メモリとしてのバッファＲＡＭ１０と、バッファＲＡＭ１０へのデータの入出力を管理し、蓄積されたデータ量が所定の値になると、ＣＰＵ１４に通知するバッファマネージャ１１と、ホスト１５（例えばパソコン）との双方向の通信インターフェースであるインターフェース６と、ＣＰＵ１４にて解読可能なコードで記述されたホスト１５からの記録要求に応じてデータを光ディスク１に記録するプログラムが格納されているＲＯＭ１２と、全体を制御するＣＰＵ１４と、ワーキングメモリとしてのＲＡＭ１３とを備えて構成される。
なお、図における矢印は、代表的な信号や情報の流れを示すものであり、各ブロックの接続関係の全てを表すものではない。また、本実施形態における光ディスクには、一例としてＤＶＤ＋ＲＷと同じ物理特性を有する情報記録媒体が用いられるものとする。
【００１１】
光ピックアップ装置３は、光ディスク１のスパイラル状又は同心円状のトラック（記録領域）が形成された記録面にレーザ光を照射するとともに、記録面からの反射光を受光するための装置である。この光ピックアップ装置３は、光源としての半導体レーザから出射される光束を光ディスク１の記録面に導くとともに、記録面で反射された戻り光束を所定の受光位置まで導く光学系、受光位置に配置され戻り光束を受光する受光器、及び駆動系（フォーカシングアクチュエータ、トラッキングアクチュエータ及びシークモータ）（いずれも図示省略）などを含んで構成されている。そして、受光器からは、その受光量に応じた信号が再生信号処理回路７に出力される。この再生信号処理回路７は、上記受光器の出力信号に基づいてウォブル信号、ＲＦ信号及びサーボ信号（フォーカスエラー信号、トラックエラー信号）などを検出する。さらに、再生信号処理回路７は、検出したウォブル信号からＡＤＩＰ（Address In Pre-groove）情報及び同期信号等を抽出し、ＡＤＩＰ情報をＣＰＵ１４に、同期信号をエンコーダ５にそれぞれ出力する。さらに、再生信号処理回路７は、検出したＲＦ信号に対して復号処理及び誤り訂正処理等を行った後、再生データとしてバッファマネージャ１１を介してバッファＲＡＭ１０に格納する。なお、復号処理に際して発生したエラー（エラーレート）はＣＰＵ１４に通知される。また、ここで検出されたサーボ信号はサーボコントローラ９に出力される。
サーボコントローラ９は、再生信号処理回路７からのフォーカスエラー信号に基づいてフォーカスずれを補正するための制御信号を生成し、トラックエラー信号に基づいてトラックずれを補正するための制御信号を生成する。ここで生成された各制御信号はそれぞれモータドライバ８に出力される。モータドライバ８は、サーボコントローラ９からの各制御信号に応じて光ピックアップ装置３のトラッキングアクチュエータ及びフォーカシングアクチュエータを駆動する。すなわち、再生信号処理回路７、サーボコントローラ９及びモータドライバ８によってトラッキング制御及びフォーカス制御が行われる。また、モータドライバ８は、ＣＰＵ１４の指示に基づいてスピンドルモータ２及び光ピックアップ装置３のシークモータを駆動する。
【００１２】
バッファマネージャ１１は、バッファＲＡＭ１０へのデータの入出力を管理し、蓄積されたデータ量が所定の値になると、ＣＰＵ１４に通知する。エンコーダ５は、ＣＰＵ１４の指示に基づいて、バッファＲＡＭ１０に蓄積されているデータをバッファマネージャ１１を介して取り出し、データ変調及びエラー訂正コードの付加などを行い、光ディスク１への書き込み信号を生成するとともに、再生信号処理回路７からの同期信号に同期してレーザコントロール回路４に出力する。レーザコントロール回路４は、エンコーダ５からの書き込み信号及びＣＰＵ１４の指示に基づいて、光ピックアップ装置３から出射されるレーザ光の出力を制御する。またインターフェース６は、ホスト（例えばパソコン）との双方向の通信インターフェースであり、ＡＴＡＰＩ（Attachment Packet Interface）、ＳＣＳＩ（Small Computer System Interface）及びＵＳＢ（Universal Serial Bus）等の標準インターフェースに準拠している。ＲＯＭ１２には、ＣＰＵ１４にて解読可能なコードで記述されたホスト１５からの記録要求に応じてデータを光ディスク１に記録するプログラムが格納されている。
【００１３】
ここで、データ記録処理について説明する。先ず、記録速度に基づいてスピンドルモータ２の回転を制御するための制御信号をモータドライバ８に出力するとともに、ホスト１４から受信したユーザデータをバッファＲＡＭ１０に蓄積するようにバッファマネージャ１１に指示する。さらに、ホスト１４から記録要求コマンドを受信した旨を再生信号処理回路７に通知する。これにより、光ディスク１の回転が所定の線速度に達すると、上記トラッキング制御及びフォーカス制御が行われる。なお、トラッキング制御及びフォーカス制御は記録処理が終了するまで随時行われる。
そして、バッファマネージャ１１からバッファＲＡＭ１０に蓄積されたユーザデータのデータ量が所定の量を超えたとの通知を受けると、エンコーダ５に書き込み信号の生成を指示し、光ピックアップ装置３が書き込み開始地点に到達すると、エンコーダ５に通知する。これにより、ユーザデータは、エンコーダ５、レーザコントロール回路４及び光ピックアップ装置３を介して光ディスク１に書き込まれる。ホスト１５からのユーザデータがすべて書き込まれると記録処理を終了する。
【００１４】
次に、データ再生処理について説明する。先ず、再生速度に基づいてスピンドルモータ２の回転を制御するための制御信号をモータドライバ８に出力するとともに、再生要求コマンドを受信した旨を再生信号処理回路７に通知する。これにより、光ディスク１の回転が所定の線速度に達すると、上記トラッキング制御及びフォーカス制御が行われる。なお、トラッキング制御及びフォーカス制御は再生処理が終了するまで随時行われる。
そして、光ピックアップ装置３が読み出し開始地点に到達すると、再生信号処理回路７に通知する。これにより、前述の如く再生信号処理回路７を介して再生データがバッファＲＡＭ１０に蓄積されるとともに、再生データがセクタデータとして揃うと、バッファマネージャ１１及びインターフェース６を介してホスト１５に転送される。ホスト１５から指定された全てのデータを再生すると再生処理を終了する。
【００１５】
図２はＤＶＤのレイアウトを示す図である。縦軸に物理アドレス、横軸にディスクの半径位置を表す。ＤＶＤには記録層が１つのシングルレイヤーディスク（Single Layer Disc、以下１層ＤＶＤとする）と、記録層が２つのデュアルレイヤーディスク（Dual Layer Disc、以下、２層ＤＶＤとする）がある。２層ＤＶＤはさらに、トラックパス（再生走査経路）により、パラレルトラックパス（Parallel Track Path、以下、ＰＴＰとする）と、オポジットトラックパス（Opposite Track Path、以下、ＯＴＰとする）の２種類に分けられる。
図２（ａ）は１層ＤＶＤのレイアウトを示す図である。１層ＤＶＤは、ディスク内周側からリードイン領域（Lead-in Area）２０、データ領域（Data Area）２１、リードアウト領域（Lead-out Area）２２からなるインフォメーション領域（Information Area）２３を有する。トラックパスとしてはリードイン２０からリードアウト２２に向かう１種類のみである。
図２（ｂ）はＰＴＰディスクのレイアウトを示す図である。ＰＴＰディスクでは各記録層（図中のレイヤー０とレイヤー１）にインフォメーション領域を有する。レイヤー０とレイヤー１は互いに独立した記録層と捉えることができる。トラックパスはともにリードインからリードアウトに向かう。また、図に示すように、ＰＴＰディスクにおけるリードイン領域開始および終了アドレスａ、データ領域の開始アドレスｂ、および、リードアウト領域の終了アドレスｃは同一半径位置にあり、リードアウト領域の開始アドレスｄ、ｅ、すなわち、データ領域の終了アドレスは記録層毎に異なる場合がある。データ領域の終了アドレスが異なる場合、その差分の領域はリードアウトが記録されている。
【００１６】
図２（ｃ）はＯＴＰディスクを示している。ＯＴＰディスクは１つのインフォメーション領域からなり、各記録層（図中のレイヤー０とレイヤー１）は連続した１つの記録層と捉えることができる。すなわち、レイヤー０の最内周側にはリードイン領域２４が存在し、続いてデータ領域２５が形成されるが、最外周側は中間領域（Middle Area）２６が存在する。そして、レイヤー１については最外周側の中間領域２７から連続してデータ領域２８が内周側に向かって形成され、最内周側にリードアウト領域２９が存在する。トラックパスとしてはレイヤー０のリードイン２４からデータ領域２５を走査して中間領域２６に向かい、中間領域２７に達したら内周側へ向かう走査となしてレイヤー１のデータ領域２８の走査を行い、ディスク内周側のリードアウト２９に向かうことになる。この場合はレイヤー０、１が連続した１つのレイヤーとして扱われるものとなる。また、図に示すように、ＯＴＰディスクの場合はリードイン領域の開始アドレスとリードアウト領域の終了アドレスａ、レイヤー０のデータ領域終了アドレスとレイヤー１のデータ領域開始アドレス、及び、各記録層の中間領域の開始及び終了アドレスｃは同一半径位置にあり、レイヤー０のデータ領域開始アドレスｃとレイヤー１のデータ領域終了アドレスｄは必ずしも一致しない。ＯＴＰディスクの場合もその差分領域にはリードアウトが記録されている。
【００１７】
図３はバックグラウンドフォーマットと、バックグラウンドフォーマット中のユーザデータ記録処理の動作について説明する図である。通常、記録型ディスクはディスク全面が未記録の状態で市販されており、ユーザが記録を行うためにはディスク全面を所定の記録パターンで埋めるフォーマットと呼ばれる処理を行う必要がある。しかしながら、ディスク容量の増大に伴い、フォーマット処理に要する時間も増大するため、フォーマット処理はユーザにとって使い勝手が悪いものであった。この不具合を解消するために採用されたフォーマット方式がバックグラウンドフォーマットである。ここでは、バックグラウンドフォーマットを行う情報記録媒体として、ＤＶＤ＋ＲＷを例に説明する。
ＤＶＤ＋ＲＷは図３（ａ）に示されるように、基本的に１層ＤＶＤと同じレイアウトを有している。すなわち、ディスク内周側からリードイン領域３０、データ領域３１、リードアウト領域３２が存在し、ユーザデータはデータ領域３１に記録する。リードイン領域３０にはＤＶＤ＋ＲＷ特有の情報としてバックグラウンドフォーマット処理、及びバックグラウンドフォーマット中に記録された領域を管理するための管理情報領域が存在する。この管理情報には、データ領域の先頭から連続的に記録が行われている領域の最終アドレスを示すラストリトゥンアドレス（Last Written Address、以下、ＬＷＡとする）や、バックグラウンドフォーマット中にユーザがデータ領域内にランダムに記録を行った領域を識別するためのビットマップ（Ｂｉｔｍａｐ）などの情報を含む。
【００１８】
図３（ｂ）はバックグラウンドフォーマットにおけるフォーマット初期化処理（イニシャル処理）で記録される領域を示している。バックグラウンドフォーマットでは、ユーザからのフォーマット要求に対して、リードイン領域３０の一部を記録した（イニシャル処理）だけでユーザに対してフォーマット完了が通知される。つまり、ユーザにとってはイニシャル処理が完了した時点で、見かけ上フォーマットが完了したものとみなすことができる。従って、イニシャル処理の完了後は、ユーザは全データ領域に対してデータの記録および再生を行うことが可能となる。このように、バックグラウンドフォーマットでは事実上のフォーマット処理時間を大幅に低減される。なお、イニシャル処理が完了した時点においてＬＷＡの初期値はデータ領域の先頭アドレス（あるいはリードイン領域の終了アドレス）とみなすことができる。また、データ領域３１内は全て未記録であるため、ビットマップ３３は全て“１”、すなわち未記録を示す情報が設定されている。
その後、バックグラウンドフォーマットでは、図３（ｃ）に示すように、ディスク内周からデータ領域の未記録領域３４をダミーデータ（Dummy Data）で記録していく。ＤＶＤ＋ＲＷではバックグラウンドフォーマットによるダミーデータ記録をディアイス（Ｄｅ−ｉｃｅ）と呼ぶ。ディアイス処理はデータ領域の先頭から連続的に行われるため、前述したＬＷＡはディアイス処理により更新され、ダミーデータが記録された領域に対応したビットマップ３３は“０”すなわち記録済みを示す情報に設定される。
【００１９】
次に、バックグラウンドフォーマット中、図３（ｄ）に示すようにユーザからデータ記録要求があった場合はディアイス処理を停止（中断）してユーザデータ３５の記録を行う。ここで、ユーザは全データ領域に対して記録が可能であるため、図に示されるようにディアイス前の未記録領域に対して記録が行われる場合もありえる。ディアイスを再開した際にユーザデータが記録された領域をダミーデータで上書きすることを防ぐ必要から、ＤＶＤ＋ＲＷでは管理情報領域にビットマップ３３が用意されている。図に示されるように、ユーザデータ３５が記録された領域に対するビットマップ情報が変更される。
ユーザデータ記録が完了後、図３（ｅ）に示すようにディアイス処理が再開される。ここでは、ディアイス開始アドレスとしてＬＷＡが参照され、また、ビットマップ３３を参照することによりデータ未記録領域が特定される。つまり、ディアイス処理の再開では、ＬＷＡ以降の未記録領域３６に対してダミーデータ記録が行われる。ダミーデータ記録にともないＬＷＡやビットマップ３３も更新される。
【００２０】
また、ＤＶＤ＋ＲＷではバックグラウンドフォーマットを中断してディスクを取り出すことも可能となっている。ここで、データ領域に既記録領域と未記録領域が混在する状態のままディスクを取り出すことも可能であるが、このままの状態では再生専用ＤＶＤと論理的な互換を保証することができない。これは、図２（ａ）で示されるように、再生専用ＤＶＤはインフォメーション領域としてリードイン領域、データ領域、リードアウト領域が存在し、これらの領域内は全てデータが記録されている必要があるためである。
ＤＶＤ＋ＲＷでは図３（ｆ）に示されるように、以下の手順を行うことによりバックグラウンドフォーマット途中の状態で再生専用ＤＶＤとの論理的な互換を保証している。ここでは、まず、ビットマップ３３を参照し、データ領域内に間欠的に存在する未記録領域をダミーデータ３６で記録する。この結果、ＬＷＡは図に示す位置に更新される。次に、ＬＷＡ以降領域に一時的なリードアウト（テンポラリーリードアウト、以下、ＴＬＯ）３７を記録する。これにより、フォーマット途中であってもリードイン領域、（ＬＷＡまでの）データ領域、（一時的な）リードアウト領域からなるインフォメーション領域が形成され、再生専用のＤＶＤドライブで再生を行うことが可能となる。なお、図に示されるように、ＴＬＯ３７を記録した領域に対応したビットマップ情報は“１”、すなわち未記録であることを示す。一般に、データ領域とリードアウト領域とでは異なる属性を有するデータが記録される。ＤＶＤ＋ＲＷのＴＬＯはリードアウト領域であることを示すデータ属性を有するデータで記録される。バックグラウンドフォーマットを再開する場合は、ＬＷＡ、ＴＬＯを上書きしてディアイスが再開されるため、この一時的な中間領域に対応したビットマップ情報も未記録を示す状態のままとしている。このようなディスクが再び挿入された場合は、図中のＬＷＡに示されるアドレスから、ＴＬＯを上書きしてディアイスが再開される。
【００２１】
図４は前述した管理情報領域に格納される管理情報の構造を示す図である。この管理情報は、「識別ＩＤ」、「未知の識別ＩＤに対する制約情報」、「ドライブＩＤ」、「更新回数」、「フォーマットステータス」、「ラストリトゥンアドレス」、「ラストベリファイドアドレス」、「ビットマップ開始アドレス」、「ビットマップ長」、「ディスクＩＤ」、「ビットマップ」からなる。
前記「識別ＩＤ」には管理情報の識別ＩＤが格納されている。前記「未知の識別ＩＤに対する制約情報」には前記識別ＩＤが未知のＩＤであった場合にドライブ装置が制限すべき動作に関する情報が格納されている。この制約情報としては、一例として、データ領域への記録の禁止、フォーマットの禁止などがある。前記「ドライブＩＤ」は当該管理情報を記録したドライブ装置を識別するためのＩＤ情報が格納されている。前記、「更新回数」は当該管理情報の更新回数が格納されている。前記「フォーマットステータス」はバックグラウンドフォーマットの状態に関する情報が格納されている。このフォーマットステータスには、一例として、フォーマット前の状態、フォーマット途中の状態、フォーマットが完了した状態などがある。前記「ラストリトゥンアドレス」はデータ領域の先頭アドレスから連続的に記録が行われている領域の最終アドレスが格納されている。前述したように、バックグラウンドフォーマットを再開する場合はＬＷＡが示す境界アドレスからダミーデータが記録される。前記「ラストベリファイドアドレス」はデータ領域の先頭アドレスから連続的にベリファイが行われている領域の最終アドレスが格納されている。ベリファイを行わない場合は、本領域には「００００００００００ｈ」が記録される。前記「ビットマップ開始アドレス」はビットマップ領域の最初のビットに対応したデータ領域内のアドレスが格納されている。前記「ビットマップ長」はビットマップにより記録、未記録の状態が管理されているデータ領域のサイズが格納されている。前記「ディスクＩＤ」は当該ディスクのＩＤが格納されている。前記「ビットマップ」はビットマップ情報が格納されている。
【００２２】
ここで、ビットマップの詳細について説明する。前述したように、バックグラウンドフォーマットではイニシャル処理完了後、全データ領域に対してユーザからのデータ記録が可能になる。つまり、ディアイス処理によるダミーデータ記録前の領域であってもユーザデータが記録可能であるため、バックグラウンドフォーマット中にユーザデータ記録を行った場合、データ記録領域と未記録領域が混在することになる。このような状態でディアイスを再開する場合は、ユーザが記録した領域を除いてダミーデータ記録を行う必要がある。従って、例えばＤＶＤ＋ＲＷの場合は記録単位であるＥＣＣブロック（１６セクタ）に対してその領域の記録状態を１ビットのフラグ、すなわちビットマップにより識別する。そして、ユーザがデータ記録を行った場合、当該記録領域に対応するするビットマップ上のフラグを“記録済み”に設定する。その後、ディアイスを再開する場合は、このビットマップ情報を参照して未記録領域のみダミーデータ記録を行う。以上のように、ビットマップを参照することにより、バックグラウンドフォーマット中に記録されたユーザデータをダミーデータで上書きしてしまう不具合を避けることが可能となる。
【００２３】
図５は情報記録媒体のレイアウトを示す図である。本実施形態の一例として、図に示されるような片面２層のＯＴＰ方式のディスクとし、基本的なレイアウトは図２（ｃ）に示される２層ＤＶＤ（ＯＴＰ）と同様であるとする。すなわち、レイヤー０の最内周側にはリードイン領域４０が存在し、続いてデータ領域４１が形成され、最外周側に中間領域（Middle Area）４２が存在する。また、レイヤー１については最外周側の中間領域４３から連続してデータ領域４４が内周側に向かって形成され、最内周側にリードアウト領域４５が存在する。トラックパスとしてはレイヤー０のリードイン４０からデータ領域４１を走査して中間領域４２に向かい、中間領域４３に達したら内周側へ向かう走査となしてレイヤー１のデータ領域４４の走査を行い、ディスク内周側のリードアウト４５に向かうことになる。この場合もレイヤー０、１が連続した１つのレイヤーとして扱われる。
また、本実施形態の情報記録媒体に対するフォーマット処理は、前述したバックグラウンドフォーマットを行い、データ領域内に未記録領域が存在する状態でユーザデータが記録されるものとする。従って、リードイン内にはバックグラウンドフォーマット処理、及びバックグラウンドフォーマット中に記録された領域を管理するための管理情報領域が存在する。
【００２４】
このような情報記録媒体に対する、本発明の情報記録装置の動作について、図６を参照して説明する。本実施形態では、情報記録媒体に対するフォーマット処理を、バックグラウンドフォーマットで行うことにより、ユーザデータ記録までの時間の短縮が図られる。ただし、ここでは説明を簡単にするためディアイス処理は行わないものとする。すなわち、イニシャル処理によりリードイン領域４６の一部を記録した時点でユーザデータの記録が可能となるが、ユーザからのアクセスが無い時間に残りの領域に対するダミーデータ記録は行わない。また、ユーザデータはレイヤー０のデータ領域の開始アドレスから連続的に行われるものとする。
図６（ａ）はバックグラウンドフォーマットによるイニシャル処理が完了した状態を示している。本発明の情報記録媒体では、バックグラウンドフォーマットによる記録に関する管理情報として、ＬＷＡ（第１のポインタ）と、ビットマップ（識別情報）４７とが管理情報領域４８内に格納されている。ここで、ＬＷＡはレイヤー０またはレイヤー１のいずれかのデータ領域内のアドレスであり、レイヤー０のデータ領域の開始アドレスから連続的にデータが記録されている領域の最終アドレスである。ＯＴＰの場合はレイヤー０とレイヤー１が連続した１つのレイヤーとみなされるため、ＬＷＡはこの擬似データ領域の先頭アドレスから連続してデータが記録されている領域の最終アドレスであるということもできる。イニシャル処理が完了した状態（ディアイス開始前の状態）において、ＬＷＡは初期値として、図に示されるようにレイヤー０のデータ領域の先頭アドレスにあるとみなす（あるいはリードインの終了アドレスでもよい）。また、データ領域内は全て未記録であるためビットマップ４７は全て“１”が設定されている。
【００２５】
次に、図６（ｂ）はイニシャル処理完了後、ユーザデータ記録が行われている状態を示す。本実施形態では、前述したようにデータ領域の先頭アドレスから連続的にユーザデータが記録されるものとする。図に示されるように、ユーザデータ記録に従ってＬＷＡも更新され、データが記録された領域に対応したビットマップ４７が“０”に設定される。
図６（ｃ）は、同図（ｂ）の状態において、バックグラウンドフォーマットを中断して取り出されたディスクの状態を示す。再生専用ディスクと論理的な互換を保つための処理は「リードイン領域」４６、「レイヤー０のデータ領域」５０、「中間領域」５１、５２、「レイヤー１のデータ領域」５３、「リードアウト領域」４９からなるインフォメーション領域がデータ記録された状態にすることであるが、本実施形態では「リードイン領域」４６と「レイヤー０のデータ領域」５０、「テンポラリーリードアウト領域」５４のみ記録することにより、取り出しの高速化を行う。図６（ｂ）におけるデータ記録領域５０と同一半径位置にあるレイヤー１のデータ領域５３内の未記録領域をダミーデータで記録することを省略して時間短縮している。
また再生専用ディスクとの互換性向上のために、少なくともイニシャル処理にて記録したリードイン領域の直上に位置するリードアウト領域を記録する。
また再生専用ディスクとの互換性向上のために、リードイン領域内のコントロールデータにおける物理フォーマット情報のDisc structure情報を２層ではなく１層と書き込む。
またこれらの組み合わせにより再生専用ディスクとの互換性向上を行っている。
【００２６】
図７は図６（ｃ）において取り出された情報記録媒体に対して、バックグラウンドフォーマットの再開、およびユーザデータ記録を行う場合の動作を説明する図である。前述したように、バックグラウンドフォーマットを再開する場合はＬＷＡからディアイスが再開される（ただし、本実施形態においても、説明を簡単にするためディアイス処理は行わないものとする）。
図７（ａ）はバックグラウンドフォーマットの再開後、ユーザデータが新たに記録された状態を示す。同じ構成要素には図６と同じ参照番号を付して説明する。これに伴い、図に示されるように、ＬＷＡも更新され、対応したビットマップ情報４７が“０”、すなわち記録済みに設定される。
次に、図７（ｂ）を参照して、バックグラウンドフォーマットを再度中断してディスクを取り出す場合の動作を説明する。図６（ｃ）の場合と同様に、「テンポラリーリードアウト領域」５４のみ記録することにより、取り出しの高速化を行う。図７（ｂ）におけるデータ記録領域と同一半径位置にあるレイヤー１のデータ領域内の未記録領域をダミーデータで記録することを省略して時間短縮している。
次に、１層目の全域が記録終了した状態を図８（ａ）に示す。同じ構成要素には図６と同じ参照番号を付して説明する。図８（ａ）に示す状態においてディスクを取り出す場合の動作について、図８（ｂ）を参照して説明する。図に示されるように、図中のＬＷＡがレイヤー０の終了アドレスまで、到達したところで記録が終了した場合、中間領域部分にテンポラリーリードアウト５４が記録される。図６〜７のように１層目に未記録領域が残っている場合に、２層目への記録要求がきた場合は、エラーを返す。図８のように１層目に未記録領域が残っていない場合に、２層目への記録要求がきた場合に初めてリードイン領域内のコントロールデータ情報に２層ディスク情報を書き込むことになる。
【００２７】
図９（ａ）は２層目からバックグラウンドフォーマットを行うシステムの場合などで、２層目のバックグラウンドローマットが終了した状態である。図９（ａ）に示す状態においてディスクを取り出す場合の動作について、図９（ｂ）を参照して説明する。図に示されるように、１層目に未記録が残っている場合にも２層目のバックグラウンドフォーマット５５が終了した場合にはリードイン領域内のコントロールデータ情報に２層ディスク情報を書き込み、「中間領域」「テンポラリーリードアウト領域」を書き込む。なお、本実施形態ではバックグラウンドフォーマット５５を行う情報記録媒体、および情報記録装置を例に説明したが、図６から図９の例ではディアイス処理によるダミーデータ記録や、ランダムなユーザデータ記録は行っておらず、これらはデータ領域の先頭から連続的に記録が行われるシーケンシャル記録と同じ記録シーケンスである。
以上に述べた第１の実施形態において情報記録媒体に格納される管理情報の構造を図１０を参照して説明する。この管理情報は図４にて述べた従来例の記録管理情報とほぼ同じ構造を有する。ここでは、主に従来例との相違点について説明する。この管理情報は、「識別ＩＤ」、「未知の識別ＩＤに対する制約情報」、「ドライブＩＤ」、「更新回数」、「フォーマットステータス」、「ラストリトゥンアドレス」、「ラストベリファイドアドレス」、「ビットマップ開始アドレス」、「ビットマップ長」、「ディスクＩＤ」、「Dual Layer Status」、「ビットマップ」からなる。
【００２８】
「識別ＩＤ」、「未知の識別ＩＤに対する制約情報」、「ドライブＩＤ」、「更新回数」、「フォーマットステータス」は図４に示す従来例と同じである。「ラストリトゥンアドレス」はレイヤー０のデータ領域の先頭アドレスから連続的に記録が行われている領域の最終アドレスを格納する。なお、本実施形態ではレイヤー０のデータ領域とレイヤー１のデータ領域とを連続した擬似データ領域とみなしている。従ってレイヤー０のデータ領域が全て記録された場合、ＬＷＡは引き続きレイヤー１のデータ領域内のアドレスに更新される。前記「ラストベリファイドアドレス」は擬似データ領域の先頭アドレスから連続的にベリファイが行われている領域の最終アドレスを格納する。ベリファイを行わない場合は本領域には「００００００００ｈ」を記録する。前記「ビットマップ開始アドレス」は擬似データ領域の記録状態を示すビットマップ領域の最初のビットに対応したデータ領域内のアドレスを格納する。前記「ビットマップ長」は擬似データ領域のうちビットマップにより記録、未記録の情報が管理されている領域のサイズを格納する。前記「ディスクＩＤ」は図４に示す従来例と同じである。「Dual Layer Status」は記録媒体の状態を示し、この状態を格納する。「ビットマップ」は擬似データ領域に対するビットマップ情報を格納する。
このように、本実施例の情報記録媒体における管理情報は、図４の従来例における管理情報に新たにDual Layer Statusが追加されたデータ構造となっている。
【００２９】
次に、本発明の情報記録装置におけるバックグラウンドフォーマット処理と、バックグラウンドフォーマット中のデータ記録処理、および、フォーマット途中の状態でディスクを取り出す際の処理について、図１１から図１３を参照して説明する。
図１１はバックグラウンドフォーマット処理を示すフローチャートである。ユーザからフォーマット要求があった場合（Ｓｐ１００）、挿入されているディスクがブランク状態であるかどうかを確認する（Ｓｐ１０１）。ブランクディスクであった場合（Ｓｐ１０１のＹｅｓ）、図１０に示される管理情報を初期設定して（Ｓｐ１０２）、リードインの一部の領域を記録し（Ｓｐ１０３）、ユーザに対しフォーマット完了を通知する（Ｓｐ１０４）。この時点における情報記録媒体は、図６（ａ）に示されるような記録状態となっている。すなわち、管理情報領域を含むリードインの一部が記録され、ＬＷＡはレイヤー０のデータ領域の開始アドレス（あるいはリードイン領域の終了アドレス）に初期的に設定される。また、ビットマップはデータ領域の全領域に対して未記録を示す情報が設定されている。以上のイニシャル処理完了後、本出願の情報記録装置は、バックグラウンドフォーマットによるダミーデータ記録、すなわちディアイス処理へ移行する。一方、Ｓｐ１０１において挿入されているディスクがブランク状態でない、すなわちフォーマット途中の状態であった場合は（Ｓｐ１０１のＮｏ）、Ｓｐ１０２からＳｐ１０４をスキップしてディアイス処理へ移行する。
【００３０】
このディアイス処理では、まず、ユーザから記録要求があるかどうかを確認する（Ｓｐ１０５）。ユーザから記録要求があった場合は（Ｓｐ１０５のＹｅｓ）、ディアイスを中断してユーザデータ記録を行うが、これについては図１２にて後述する。ユーザから記録要求がなかった場合（Ｓｐ１０５のＮｏ）、次に、ユーザからディスク排出要求があるかどうかを確認する（Ｓｐ１０６）。ディスク排出要求があった場合は（Ｓｐ１０６のＹｅｓ）、ディアイスを中断してユーザデータ記録を行うが、これについては図１３にて後述する。ユーザからディスク排出要求がなかった場合（Ｓｐ１０６のＮｏ）、次にディアイス処理中であるかどうかを確認する（Ｓｐ１０７）。ディアイス処理中であった場合は（Ｓｐ１０７のＹｅｓ）、２層目のディアイスが終了したかどうかを確認する（Ｓｐ１１０）。２層目ディアイスが終了していれば（Ｓｐ１１０のＹｅｓ）、リードイン領域に２層ディスクであることを示す情報を記録する（Ｓｐ１１１）。２層目のディアイスが終了していない場合は、Ｓｐ１０５へ戻り再びユーザからの記録要求を待つ。この間、ディアイスによるダミーデータ記録がバックグラウンドで行われる。一方、ディアイス処理中でなかった場合（Ｓｐ１０７のＮｏ）、未記録領域が存在するかどうかを判定する（Ｓｐ１０８）。例えば、図６（ａ）のようにイニシャル処理完了直後の状態ではデータ領域の全ての領域が未記録であるため、Ｓｐ１０８の判断は肯定される。
【００３１】
未記録領域が存在する場合（Ｓｐ１０８のＹｅｓ）、まず、管理情報を参照してＬＷＡを取得し（Ｓｐ１０９）、ＬＷＡが示すアドレスよりディアイスを開始する（Ｓｐ１１２）。また、ビットマップを参照して未記録領域のみ、つまりユーザデータが記録されている領域を避けてダミーデータを記録していく。ディアイス開始後はＳｐ１０５へ戻り再びユーザからの記録要求を待つ。
一方、Ｓｐ１０８において未記録領域が存在しなかった場合は（Ｓｐ１０８のＹｅｓ）、データ領域内のディアイスが完了したことを示す。この場合、中間領域を記録（Ｓｐ１１３）、リードアウト領域を記録し（Ｓｐ１１４）、次いでリードイン領域の残りの領域を記録して（Ｓｐ１１５）、フォーマット処理を終了する（Ｓｐ１１６）。ここで、Ｓｐ１１４のリードアウト領域の記録に関して、例えば後述する再生専用ディスクとの互換モードでディスクが取り出された場合など、ディアイス完了前に既にリードアウトが記録されている場合も有り得る。このような場合のＳｐ１１４におけるリードアウト領域の記録は不要であるが、図１２の管理情報内（例えば「フォーマットステータス」）にリードアウト領域が記録されているかどうかを示す情報を格納しておき、リードアウトが未記録であった場合にＳｐ１１４でリードアウトを記録するようにしても良い。
【００３２】
図１１のＳｐ１０５においてユーザから記録要求があった場合は、バックグラウンドフォーマットを中断してユーザデータ記録を行うが、このユーザデータ記録処理について図１２を参照して説明する。ここでは、まず、ディアイス処理中であるかどうかを確認し（Ｓｐ２００）、ディアイス処理中であった場合は（Ｓｐ２００のＹｅｓ）、ディアイスを中断する（Ｓｐ２０１）。ＬＷＡを更新し（Ｓｐ２０２）、次いでビットマップが更新される（Ｓｐ２０３）。記録要求が２層目かどうかを確認し（Ｓｐ２１０）、２層目の場合は（Ｓｐ２１０のＹｅｓ）、１層目に未記録領域があるかどうか確認し（Ｓｐ２１１）、未記録領域が無い場合は（Ｓｐ２１１のＮｏ）、リードイン領域に２層ディスクであることを示す情報を記録し（Ｓｐ２１３）、２層目にユーザデータを記録する（Ｓｐ２１５）。２層目に記録出来たかどうかを確認し（Ｓｐ２１６）、出来たならば（Ｓｐ２１６のＹｅｓ）ＬＷＡ更新（Ｓｐ２０５）へ進む。記録出来なかった場合は（Ｓｐ２１６のＮｏ）、リードイン領域に１層ディスクであることを示す情報を記録し（Ｓｐ２１７）、エラーを返す（Ｓｐ２１８）。１層目に未記録領域が無い場合は（Ｓｐ２１１のＹｅｓ）、２層目がディアイスが終了しているかどうか確認し（Ｓｐ２１２）、終了していれば（Ｓｐ２１２のＹｅｓ）、上述のＳｐ２１３へと進む。終了していなければ（Ｓｐ２１２のＮｏ）エラーを返す（Ｓｐ２１４）。
１層目への記録要求の場合は（Ｓｐ２１０のＮｏ）、ユーザが要求した記録を行い（Ｓｐ２０４）、当該ユーザデータ記録領域に基づいてＬＷＡを更新し（Ｓｐ２０５）、次いでビットマップを更新する（Ｓｐ２０６）。以上の記録処理が完了した場合は、Ｓｐ１０５へ戻り再びユーザからの記録要求を待つ。
【００３３】
次に、図１１のＳｐ１０６においてユーザからディスク排出要求があった場合は、ディアイスを中断してユーザデータ記録を行うが、このディアイス中断とディスク排出処理について図１３を参照して説明する。ここでは、まず、ディアイス処理中であるかどうかを確認し（Ｓｐ３００）、ディアイス処理中であった場合は（Ｓｐ３００のＹｅｓ）、ディアイスを中断する（Ｓｐ３０１）。ＬＷＡを更新し（Ｓｐ３０２）、次いでビットマップが更新される（Ｓｐ３０３）。次に、テンポラリーリードアウト領域の記録を行い（Ｓｐ３０４）、リードイン領域直上に位置するリードアウト領域を記録する（Ｓｐ３０５）、１層に未記録領域があるかどうか確認し（Ｓｐ３０６）、未記録がある場合には（Ｓｐ３０６のＹｅｓ）、リードインに１層であることを示す情報を記録し（Ｓｐ３０７）、未記録領域が無い場合には（Ｓｐ３０６のＮｏ）、ディスク排出を行い（Ｓｐ３０８）、処理を終了する（Ｓｐ３０９）。
【００３４】
以上の通り本発明によれば、ＣＰＵ１４は、再生専用ディスクと論理的な互換性を保つために、ユーザデータの記録要求に伴うデータ記録完了後、光ディスク１の２層目以降の記録層が未記録の場合、ユーザデータに続けてテンポラリーリードアウトを記録するので、記録媒体の取り出し時間を短縮することができる。
また、ＣＰＵ１４は、再生専用ディスクと論理的な互換性を保つために、少なくともイニシャル処理にて記録したリードイン領域の直上に位置する２層目以降の記録層にリードアウトを記録するので、ディスク１の取り出し時間を短縮することができ、又、再生専用ドライブとの互換性が向上する。
また、ＣＰＵ１４は、再生専用ディスクと論理的な互換性を保つために、ディスク１が１層媒体であることを示す情報をリードイン領域に記録するので、ディスク１の取り出し時間を短縮することができ、又、再生専用ドライブとの互換性が向上する。
また、ＣＰＵ１４は、再生専用ディスクと論理的な互換性を保つために、少なくともイニシャル処理にて記録したリードイン領域の直上に位置する２層目以降の記録層にリードアウトを記録すると共に、ディスク１が１層媒体であることを示す情報をリードイン領域に記録するので、記録媒体の取り出し時間を短縮することができ、又、再生専用ドライブとの互換性が向上する。
また、ＣＰＵ１４は、ユーザデータの記録要求に伴うデータ記録が完了した際、ディスク１の１層目に未記録領域が存在し、且つ前記情報記録媒体の２層目以降が未記録の状態で該２層目への前記ユーザデータの記録要求が発生した場合は、エラーとして処理するので、１層目に未記録領域が残っている場合は、２層目を記録させないことにより、１層ディスクとして振る舞い、取り出し時間を短縮することができる。
【００３５】
また、ＣＰＵ１４は、ディスク１の１層目記録が終了し、次にディスク１の２層目記録が初めて開始された場合に、ディスク１が２層媒体であることを示す情報を前記リードイン領域に記録するので、１層目に未記録領域が残っている場合は、２層目を記録させないことにより、１層ディスクとして振る舞い、取り出し時間を短縮することができる。
また、ＣＰＵ１４は、ディスク１の２層目のバックグラウンドフォーマットが完了した場合に、ディスク１が２層媒体であることを示す情報をリードイン領域に記録するので、１層目に未記録領域が残っている場合は、１層ディスクとして振る舞い、２層目がバックグランドフォーマット終了したら２層に切替えることにより、取り出し時間の短縮ができる。
また、ＣＰＵ１４は、ディスク１の２層目記録処理を実行した際に記録処理が不可能な場合、リードイン領域にディスク１が１層媒体であるので、２層が記録できない状況の場合は、１層記録媒体とすることにより、１層に記録された内容を無駄にすることを防止できる。
また、ＣＰＵ１４は、ディスク１の制御状態を含む管理情報をリードイン領域の所定の領域に記録するので、２層媒体をどのように制御しているかを知ることができるので、ディスク１を出し入れしても、本発明の制御を行うことができる。
また、ＣＰＵ１４は、バックグラウンドフォーマット処理はディスク１の２層以降も継続して行うので、１層としての動作から２層媒体としての動作への切替えがスムーズに行うことができる。
【図面の簡単な説明】
【００３６】
【図１】本発明の情報記録装置の構成例を示すブロック図である。
【図２】ＤＶＤのレイアウトを示す図である。
【図３】バックグラウンドフォーマットと、バックグラウンドフォーマット中のユーザデータ記録処理の動作について説明する図である。
【図４】管理情報領域に格納される管理情報の構造を示す図である。
【図５】情報記録媒体のレイアウトを示す図である。
【図６】本発明の情報記録媒体のレイアウトを示す図である。
【図７】図６（ｃ）において取り出された情報記録媒体に対して、バックグラウンドフォーマットの再開、およびユーザデータ記録を行う場合の動作を説明する図である。
【図８】本発明の情報記録媒体のレイアウトを示す図である。
【図９】本発明の情報記録媒体のレイアウトを示す図である。
【図１０】本発明の情報記録媒体に格納される管理情報の構造を示す図である。
【図１１】バックグラウンドフォーマット処理を示すフローチャートである。
【図１２】ユーザデータ記録処理を示すフローチャートである。
【図１３】ディアイス中断とディスク排出処理を示すフローチャートである。
【符号の説明】
【００３７】
１  光ディスク、２  スピンドルモータ、３  光ピックアップ装置、４  レーザコントロール回路、５  エンコーダ、６  インターフェース、７  再生信号処理回路、８  モータドライバ、９  サーボコントローラ、１０  バッファＲＡＭ、１１  バッファマネージャ、１２  ＲＯＭ、１３  ＲＡＭ、１４  ＣＰＵ、１５  ホスト、１００  情報記録装置
【図１】
2007128578.tif 000003
【図２】
2007128578.tif 000004
【図３】
2007128578.tif 000005
【図４】
2007128578.tif 000006
【図５】
2007128578.tif 000007
【図６】
2007128578.tif 000008
【図７】
2007128578.tif 000009
【図８】
2007128578.tif 000010
【図９】
2007128578.tif 000011
【図１０】
2007128578.tif 000012
【図１１】
2007128578.tif 000013
【図１２】
2007128578.tif 000014
【図１３】
2007128578.tif 000015